(57)【特許請求の範囲】
【請求項１】
吹出口と吸込口とを設けた本体ケースと、この本体ケース内に前記吸込口から前記吹出口に送風する送風手段を設け、この送風手段の風下側風路に放電生成物発生部を備え、前記吹出口には、開閉自在に回動する風向ルーバーを設け、前記風向ルーバーの下面に金属製のルーバー支持部を設け、前記ルーバー支持部は、ルーバー左支持部とルーバー右支持部とからなり、前記ルーバー左支持部は前記本体ケースから垂直に伸びた第一の左垂直軸部と、前記第一の左垂直部の上端から水平方向に伸びた第二の左水平軸部と、前記第二の左水平軸部から垂直に伸びた第二の左垂直軸部と、前記第二の左垂直軸部から水平方向に伸びた第一の左水平軸部から形成し、前記ルーバー右支持部は前記本体ケースから垂直に伸びた第一の右垂直軸部と、前記第一の右垂直部の上端から水平方向に伸びた第二の右水平軸部と、前記第二の右水平軸部から垂直に伸びた第二の右垂直軸部と、前記第二の右垂直軸部から水平方向に伸びた第一の右水平軸部から形成し、前記風向ルーバーは前記第一の左水平軸部と前記第一の右水平軸部に回動自在に設け、前記風向ルーバーを閉じた際、この風向ルーバーと前記吹出口の周縁部との間に空間を設け、前記空間からルーバー支持部は見えない構成で、前記第二の左水平部と前記第二の左垂直部を周囲から支えることで前記ルーバー左支持部を保持する保持左リブと、前記第二の右水平部と前記第二の右垂直部を周囲から支えることで前記ルーバー右支持部を保持する保持右リブとを前記本体ケースに設けたことを特徴とした放電生成物発生装置。
【請求項２】
ルーバー支持部をステンレス製としたことを特徴とした請求項１に記載の放電生成物発生装置。
【請求項３】
平面に、全開にした風向ルーバーの頂部と本体ケースが同時に接地させた時、平面と風向ルーバーの外側の角度を鋭角にしたことを特徴とした請求項１または２に記載の放電生成物発生装置。
【発明の詳細な説明】
【技術分野】
【０００１】
本発明は、高電圧を印加することにより放電生成物を生成し、除菌や脱臭を行なう放電生成物発生装置に関する。
【背景技術】
【０００２】
従来のこの種の放電生成物発生装置の構成は以下のようになっていた。
【０００３】
すなわち、吹出口と吸込口とを設けた本体ケースと、この本体ケース内の前記吸込口から前記吹出口への風路に放電生成物発生手段を備えた構成となっていた。
【０００４】
（例えば、これに類似する先行文献は特許文献１に記載されている。）
【先行技術文献】
【特許文献】
【０００５】
【特許文献１】特開２０１１−０３３３０５号公報
【発明の概要】
【発明が解決しようとする課題】
【０００６】
上記従来例における課題は、風向ルーバーの強度を確保するためにはルーバー支持部が大きくなり、外観に見えるためデザイン性を損ねるということであった。
【０００７】
すなわち、従来の物においては、ルーバー支持部を一般的に樹脂材料で構成しており、ルーバーの強度を確保するためはルーバー支持部を大きくせざるを得なかった。そのため、本体の大きさの割りに風向ルーバーが大きくなったり、またルーバー支持部が目立ちデザイン的にも制約が大きく小型化を図ることが難しかった。
【０００８】
そこで本発明は、放電生成物発生装置の強度確保とデザイン性の向上を目的とするものである。
【課題を解決するための手段】
【０００９】
そして、この目的を達成するために本発明は、吹出口と吸込口とを設けた本体ケースと、この本体ケース内に前記吸込口から前記吹出口に送風する送風手段を設け、この送風手段の風下側風路に放電生成物発生部を備え、前記吹出口には、開閉自在に回動する風向ルーバーを設け、前記風向ルーバーの下面に金属製のルーバー支持部を設け、前記ルーバー支持部は、ルーバー左支持部とルーバー右支持部とからなり、前記ルーバー左支持部は前記本体ケースから垂直に伸びた第一の左垂直軸部と、前記第一の左垂直部の上端から水平方向に伸びた第二の左水平軸部と、前記第二の左水平軸部から垂直に伸びた第二の左垂直軸部と、前記第二の左垂直軸部から水平方向に伸びた第一の左水平軸部から形成し、前記ルーバー右支持部は前記本体ケースから垂直に伸びた第一の右垂直軸部と、前記第一の右垂直部の上端から水平方向に伸びた第二の右水平軸部と、前記第二の右水平軸部から垂直に伸びた第二の右垂直軸部と、前記第二の右垂直軸部から水平方向に伸びた第一の右水平軸部から形成し、前記風向ルーバーは前記第一の左水平軸部と前記第一の右水平軸部に回動自在に設け、前記風向ルーバーを閉じた際、この風向ルーバーと前記吹出口の周縁部との間に空間を設け、前記空間からルーバー支持部は見えない構成で、前記第二の左水平部と前記第二の左垂直部を周囲から支えることで前記ルーバー左支持部を保持する保持左リブと、前記第二の右水平部と前記第二の右垂直部を周囲から支えることで前記ルーバー右支持部を保持する保持右リブとを前記本体ケースに設け、これにより、初期の目的を達成するものである。
【発明の効果】
【００１０】
以上のように本発明は、吹出口と吸込口とを設けた本体ケースと、この本体ケース内に前記吸込口から前記吹出口に送風する送風手段を設け、この送風手段の風下側風路に放電生成物発生部を備え、前記吹出口には、開閉自在に回動する風向ルーバーを設け、前記風向ルーバーの下面に金属製のルーバー支持部を設け、前記ルーバー支持部は、ルーバー左支持部とルーバー右支持部とからなり、前記ルーバー左支持部は前記本体ケースから垂直に伸びた第一の左垂直軸部と、前記第一の左垂直部の上端から水平方向に伸びた第二の左水平軸部と、前記第二の左水平軸部から垂直に伸びた第二の左垂直軸部と、前記第二の左垂直軸部から水平方向に伸びた第一の左水平軸部から形成し、前記ルーバー右支持部は前記本体ケースから垂直に伸びた第一の右垂直軸部と、前記第一の右垂直部の上端から水平方向に伸びた第二の右水平軸部と、前記第二の右水平軸部から垂直に伸びた第二の右垂直軸部と、前記第二の右垂直軸部から水平方向に伸びた第一の右水平軸部から形成し、前記風向ルーバーは前記第一の左水平軸部と前記第一の右水平軸部に回動自在に設け、前記風向ルーバーを閉じた際、この風向ルーバーと前記吹出口の周縁部との間に空間を設け、前記空間からルーバー支持部は見えない構成で、前記第二の左水平部と前記第二の左垂直部を周囲から支えることで前記ルーバー左支持部を保持する保持左リブと、前記第二の右水平部と前記第二の右垂直部を周囲から支えることで前記ルーバー右支持部を保持する保持右リブとを前記本体ケースに設けたものである。
【００１１】
このように、本体ケース側に設けた保持左リブにより第二の左垂直軸部や第二の左水平軸部の周囲を保持し、本体ケース側に設けた保持右リブにより第二の右垂直軸部や第二の右水平軸部の周囲を保持するので前後左右の力が加わっても、ルーバー支持部の強度を保つことができ、風向ルーバーの強度向上を図ることができ、ルーバー支持部を小さくできる。
【００１２】
そのため、使用者は放電生成物発生装置を使用する場合、風向ルーバーを開けるが、開けても風向ルーバーのルーバー支持部は目立たない。また、使用しない場合は、使用者は風向ルーバーを閉めるが、この時、風向ルーバーの下面にルーバー支持部を設けているため、風向ルーバーと吹出口との間に空間があったとしても外からルーバー支持部は見えない。
【００１３】
これらの結果により、風向ルーバーの強度向上を図りながらルーバー支持部を小さくできるため、放電生成物発生装置のコンパクト化が図れるだけでなくデザイン性も向上できるものである。
【図面の簡単な説明】
【００１４】
【図１】本発明の実施の形態１の放電生成物発生装置の概略斜視図
【図２】同放電生成物発生装置の概略縦断面図
【図３】同放電生成物発生装置の概略上部断面図および放電生成物発生の水微粒子の流れを示す図
【図４】同放電生成物発生装置の概略上部断面図および風路を示す図
【図５】同放電生成物発生装置の風向ルーバー開状態の概略上部斜視図
【図６】同放電生成物発生装置のルーバー支持部周辺の概略断面図
【図７】同放電生成物発生装置のルーバー支持部周辺の概略詳細断面図
【図８】同放電生成物発生装置の落下時の風向ルーバー角度と床面の関係を示す図
【図９】本発明の実施の形態２の放電生成物発生装置のルーバー支持部周辺の概略断面図
【図１０】同放電生成物発生装置のルーバー支持部周辺の概略詳細断面図
【図１１】同放電生成物発生装置の風向ルーバーにルーバー支持部挿入を示す図
【図１２】同放電生成物発生装置の風向ルーバー取り付けの概略展開図
【発明を実施するための形態】
【００１５】
以下、本実施形態を添付図面を用いて説明する。
【００１６】
（実施の形態１）
図１および図２に示すように、本実施形態の放電生成物発生装置の本体１の外郭の本体ケース２には、吹出口８と吸込口９とを有し、この本体ケース２内には、送風手段１０を備えている。
【００１７】
吹出口８は、略円柱形状の本体ケース２の天面後部に位置し、吸込口９は、略四角形状で本体ケース２の側面背面側のほぼ中央に位置し、着脱自在なプレフィルター１８を備えている。
【００１８】
略円柱形状の本体ケース２の天面前部には操作スイッチ３を設け、本体１内の下部には、高圧発生手段１２と電装部品を制御する制御手段１１を設けている。
【００１９】
送風手段１０は本体１内の上部に設けられ、室内の空気を吸込口９から本体ケース２内に吸い込み、吹出口８より室内に送風するもので、この送風手段１０の風下側風路には図３および図４に示すように高圧発生手段１２からの電圧を受けて放電生成物発生させる放電生成物発生部の１例である静電霧化部１３を備えている。この静電霧化部１３と送風手段１０の風下側風路は静電霧化ダクト１６によって接続され、この静電霧化ダクト１６と送風手段１０の風下側風路との合流部には、風下側風路内に突出して風下側方向に向いた静電霧化出口１７を設けている。
【００２０】
また、この静電霧化ダクト１６の途中にはフィルター収納部１５を有し、オゾンフィルター１４を収納している。
【００２１】
本体ケース２の天面の吹出口８上部には、略半円平板形状の風向ルーバー５が、仰角方向に回転自在に装着されている。
【００２２】
この風向ルーバー５と吹出口８の周縁部との間には、本体ケース２の吹出口８と室内とを連通する空間６を有している。風向ルーバー５の上面には、本体ケース２における後部寄りに楕円形状の窪みである凹部７を備えている。図５から７に示すように、風向ルーバー５の下面には、凹部７より本体ケース２における前側面寄りの近傍に、ルーバー支持孔２５を備えている。このルーバー支持孔２５は、ルーバー左支持孔２５ａとルーバー右支持孔２５ｂとからなる。これらルーバー左支持孔２５ａとルーバー右支持孔２５ｂに、本体ケース２の天面の吹出口８から伸びたルーバー支持部１９であるルーバー左支持部１９ａとルーバー右支持部１９ｂの先端が各々挿入され、風向ルーバー５が、仰角方向に回転自在に装着されている。
【００２３】
ルーバー左支持部１９ａは、ステンレス製棒材で、本体ケース２の吹出口８周縁上面左寄りに位置し、そこから垂直に伸びた第一の垂直軸部２２である第一の左垂直軸部２２ａとこの第一の左垂直軸部２２ａの上端から水平方向で、本体ケース２における内方、右方向に伸びた第一の水平軸部２０である第一の左水平軸部２０ａから形成している。この第一の左水平軸部２０ａの少なくとも一部が、ルーバー左支持孔２５ａに回転自在に挿入されている。第一の左垂直軸部２２ａの先端部は、吹出口８左の本体ケース２に設けられたケース支持孔２６であるケース左支持孔２６ａに差し込まれ、上下から例えばプッシュナットなどの止め具２４によって本体ケース２を挟み込んで固定されている。さらに、ルーバー左支持部１９ａの第一の左垂直軸部２２ａを、本体ケース２における前後から挟み込むように本体ケース２側に保持リブ２７である保持左リブ２７ａを設けている。
【００２４】
同様に、ルーバー右支持部１９ｂは、ステンレス製棒材で、ルーバー右支持部１９ｂは、本体ケース２の吹出口８周縁上面右寄りに位置し、そこから垂直に伸びた第一の垂直軸部２２である第一の右垂直軸部２２ｂとこの第一の右垂直軸部２２ｂの上端から水平方向で、本体ケース２における内方、左方向に伸びた第一の水平軸部２０である第一の右水平軸部２０ｂから形成している。この第一の右水平軸部２０ｂの少なくとも一部が、ルーバー右支持孔２５ｂに回転自在に挿入されている。第一の右垂直軸部２２ｂの先端部は、吹出口８右の本体ケース２に設けられたケース支持孔２６であるケース右支持孔２６ｂに差し込まれ、上下から例えばプッシュナットなどの止め具２４によって本体ケース２を挟み込んで固定されている。さらに、ルーバー右支持部１９ｂの第一の右垂直軸部２２ｂを、本体ケース２における前後から挟み込むように本体ケース２側に保持リブ２７である保持右リブ２７ｂを設けている。
【００２５】
つまり、ルーバー支持部１９は、本体ケース２の吹出口８周縁上部から垂直に伸びた第一の垂直軸部２２とこの第一の垂直軸部２２の上端から水平方向で、本体ケース２における左右内方に伸びた第一の水平軸部２０から形成している。
【００２６】
ルーバー左支持孔２５ａは、風向ルーバー５の下面の本体ケース２における左寄りに位置し、そこから本体ケース２における水平方向で、内方、右方向へ伸びた孔である。このルーバー左支持孔２５ａに、ルーバー左支持部１９ａの第一の左水平軸部２０ａの少なくとも一部が、回転自在に挿入されている。
【００２７】
同様に、ルーバー右支持孔２５ｂは、風向ルーバー５の下面の本体ケース２における右寄りに位置し、そこから本体ケース２における水平方向で、内方、左方向へ伸びた孔である。このルーバー右支持孔２５ｂに、ルーバー右支持部１９ｂの第一の右水平軸部２０ｂの少なくとも一部が、回転自在に挿入されている。
【００２８】
このように、本体ケース２の天面の吹出口８に風向ルーバー５が、仰角方向に回転自在に装着されている。なお、これらのルーバー左支持孔２５ａとルーバー右支持孔２５ｂとは、同芯軸上に位置するものである。また、ルーバー左支持孔２５ａとルーバー右支持孔２５ｂの最上面は、風向ルーバー５の下面と同一面である。
【００２９】
以上の構成により、放電生成物発生装置の本体１を運転すると、送風手段１０によって、室内の空気を吸込口９から本体ケース２内に吸い込み、放電生成物発生部の１例である静電霧化部１３で発生した帯電微粒子水と一緒に吹出口８より室内に送風される。このとき、吸込口９からの空気はプレフィルター１８によって除塵されて取り込まれ、また吹出口８からの帯電微粒子水を含んだ空気は手動の風向ルーバー５によって可変調整できる。風向ルーバー５の開閉は、風向ルーバー５表面の凹部７を押すと、ルーバー支持部１９が支点となり、風向ルーバー５を開けることができる。風向ルーバー５表面の凹部７を設けることにより、文字等を表示しなくても押す位置を使用者に知らせることができるが、凹部７でなくても凸部やこれに代わる目印であっても効果は同じである。また、閉めるときは、ルーバー頂部２８付近をつまんで動かしたり、押えることで閉めることができる。
【００３０】
次に、静電霧化部１３で発生した帯電微粒子水の流れを説明する。図３および図４に示すように、送風手段１０からの風が静電霧化出口１７の周囲を流れることで、誘引作用によりフィルター収納部１５内、静電霧化ダクト１６内が負圧になる。これにより、高圧発生手段１２から供給された高電圧により静電霧化部１３で生成された帯電微粒子水は、静電霧化ダクト１６を通ってフィルター収納部１５に流入し、このフィルター収納部１５のオゾンフィルター１４によってオゾン成分が分解除去され、送風手段１０からの空気と混合されて、室内に送風される。これらの電気部品は、制御手段１１により制御され、操作スイッチ３を押すことで、動作状態を表示ランプ４で表示するものである。
【００３１】
本実施形態における特徴は、吹出口８に、開閉自在に手動で回動する風向ルーバー５を保持する構造にある。
【００３２】
具体的には、風向ルーバー５を閉じた際、この風向ルーバー５と吹出口８の周縁部との間に空間６を設け、また風向ルーバー５の投影面積内にステンレスなどの金属製のルーバー支持部１９を設け、このルーバー支持部１９は本体ケース２から垂直に伸びた第一の垂直軸部２２と、この第一の垂直軸部２２の上端から水平方向に伸びた第一の水平軸部２０から形成し、風向ルーバー５は第一の水平軸部２０に回動自在に設けたものである。
【００３３】
このように、風向ルーバー５の投影面積内に金属製のルーバー支持部１９を設け、このルーバー支持部１９は本体ケースから垂直に伸びた第一の垂直軸部２２と、この第一の垂直軸部２２の上端から水平方向に伸びた第一の水平軸部２０から形成しており、風向ルーバー５にかかる垂直方向の荷重は、本体ケース２から垂直に伸びた第一の垂直軸部２２で主に支持するので、風向ルーバー５の強度向上を図ることができ、結果として、ルーバー支持部１９の強度を維持しながらルーバー支持部１９を小さくできる。
【００３４】
これにより、使用者は放電生成物発生装置を使用する場合、風向ルーバー５を開けるが、ルーバー支持部１９が小さく、風向ルーバー５の後部にルーバー支持部１９を設けているため、目立ちにくい。また、使用しない場合は、使用者は風向ルーバー５を閉めるが、この時、風向ルーバー５の投影面積内にルーバー支持部１９を設けているため、風向ルーバー５と吹出口８との間に空間があったとしても外からルーバー支持部１９は見えない。
【００３５】
これらの結果により、風向ルーバー５の強度向上を図りながらルーバー支持部１９を小さくできるため、放電生成物発生装置のコンパクト化が図れるだけでなくデザイン性も向上できる。
【００３６】
また、ルーバー支持部１９より後部の風向ルーバー５表面に凹部７を設けたものである。これにより、この凹部７を押すことでルーバー支持部１９が支点となり、風向ルーバー５につまみや取っ手がなくても風向ルーバー５を開けることができるため、デザイン性を向上できる。
【００３７】
また、図８に示すように、平面に、全開にした風向ルーバー５のルーバー頂部２８と本体ケース２が同時に接地させた時、平面と風向ルーバー５の外側の角度であるＸ度が９０度以下の角度、つまり鋭角にしたものである。
【００３８】
これにより、放電生成物発生装置を逆さまに落下させた際、床面に全開にした風向ルーバー５のルーバー頂部２８と本体ケース２が同時に接地した場合、床面と風向ルーバー５の外側の角度であるＸ度が９０度以下の角度になり、風向ルーバー５は閉じる方向に力が働くため、風向ルーバー５の損傷を防ぐことができる。
【００３９】
具体的には、風向ルーバー５を仰角方向へ開くと、本体ケース２における背面側の風向ルーバー５の下面が、本体ケース２から伸びた保持左リブ２７ａおよび保持右リブ２７ｂに当接する。この状態が風向ルーバー５が全開した状態である。この状態で、風向ルーバー５が仰角方向へ開いた角度、つまり本体ケース２の天面と風向ルーバー５の内面とのなす角度は、９０度以下の鋭角である。更に、床面に全開にした風向ルーバー５のルーバー頂部２８と本体ケース２が同時に接地した場合、ルーバー頂部２８から本体ケース２における背面側の床面と、風向ルーバー５とのなす角度が、９０度以下の鋭角となり、ルーバー頂部２８から本体ケース２における前面側の床面と、風向ルーバー５とのなす角度が、９０度を超える鈍角となる。すなわち、放電生成物発生装置を誤って本体ケース２の天面側から落とした場合に、風向ルーバー５には、風向ルーバー５が閉じる方向に力が働くため、風向ルーバー５の損傷を防ぐことができる。
【００４０】
（実施の形態２）
以下、本発明の実施の形態２における放電生成物発生装置について図９〜図１２を参照しながら説明する。なお、実施の形態１の構成と同様の構成を有するものについては、同一符号を付してその説明を省略する。
【００４１】
実施の形態１と相違する点は、ルーバー支持部１９の形状と止め具２４を下からのみにしたところである。
【００４２】
具体的には、ルーバー左支持部１９ａは、第一の左水平軸部２０ａと第一の左垂直軸部２２ａの間に第二の水平軸部２１である第二の左水平軸部２１ａと第二の垂直軸部２３である第二の左垂直軸部２３ａとを設けたＬ字を２つ組み合わせて形状になっており、第一の左垂直軸部２２ａをケース左支持孔２６ａに差し込んだ後、下から例えばプッシュナットなどの止め具２４によって固定されている。また、ルーバー左支持部１９ａの第二の左垂直軸部２３ａや第二の左水平軸部２１ａの周囲を保持するように本体ケース２側に保持左リブ２７ａを設けている。
【００４３】
これにより、ルーバー左支持部１９ａの第一の左垂直軸部２２ａを本体ケース２のルーバー左支持孔２５ａに差し込むと、第二の左水平軸部２１ａが本体ケース２に当たる。そして本体ケース２の内側に飛び出した第一の左垂直軸部２２ａに例えばプッシュナットなどの止め具２４を嵌めるとルーバー左支持部１９ａの第一の左垂直軸部２２ａと止め具２４によって本体ケース２を挟み込むためルーバー左支持部１９ａは固定される。また、本体ケース２側に設けた保持左リブ２７ａにより第二の左垂直軸部２３ａや第二の左水平軸部２１ａの周囲を保持するので、前後左右の力が加わっても、ルーバー左支持部１９ａの強度を保つことができる。
【００４４】
同様に、ルーバー右支持部１９ｂは、第一の右水平軸部２０ｂと第一の右垂直軸部２２ｂの間に第二の水平軸部２１である第二の右水平軸部２１ｂと第二の垂直軸部２３である第二の右垂直軸部２３ｂとを設けたＬ字を２つ組み合わせて形状になっており、第一の右垂直軸部２２ｂをケース支持孔２６に差し込んだ後、下から例えばプッシュナットなどの止め具２４によって固定されている。また、ルーバー右支持部１９ｂの第二の右垂直軸部２３ｂや第二の右水平軸部２１ｂの周囲を保持するように本体ケース２側に保持リブ２７である保持右リブ２７ｂを設けている。
【００４５】
これにより、ルーバー右支持部１９ｂの第一の右垂直軸部２２ｂを本体ケース２のルーバー右支持孔２５ｂに差し込むと、第二の右水平軸部２１ｂが本体ケース２に当たる。そして本体ケース２の内側に飛び出した第一の右垂直軸部２２ｂに例えばプッシュナットなどの止め具２４を嵌めるとルーバー右支持部１９ｂの第一の右垂直軸部２２ｂと止め具２４によって本体ケース２を挟み込むためルーバー右支持部１９ｂは固定される。また、本体ケース２側に設けた保持リブ２７である保持右リブ２７ｂにより第二の右垂直軸部２３ｂや第二の右水平軸部２１ｂの周囲を保持するので、前後左右の力が加わっても、ルーバー右支持部１９ｂの強度を保つことができる。
【産業上の利用可能性】
【００４６】
以上のように本発明は、吹出口と吸込口とを設けた本体ケースと、この本体ケース内に前記吸込口から前記吹出口に送風する送風手段を設け、この送風手段の風下側風路に放電生成物発生部を備え、前記吹出口には、開閉自在に回動する風向ルーバーを設けた放電生成物発生装置であって、前記風向ルーバーを閉じた際、この風向ルーバーと前記吹出口の周縁部との間に空間を設け、また前記風向ルーバーの投影面積内に金属製のルーバー支持部を設け、このルーバー支持部は本体ケースから垂直に伸びた第一の垂直軸部と、この第一の垂直部の上端から水平方向に伸びた第一の水平軸部から形成し、前記風向ルーバーは前記第一の水平軸部に回動自在に設けたものであり、風向ルーバーの強度向上を図るだけでなく、ルーバー支持部を小さくできる。
【００４７】
また、使用者は放電生成物発生装置を使用する場合、風向ルーバーを開けるが、開けても風向ルーバーのルーバー支持部は目立たない。また、使用しない場合は、使用者は風向ルーバーを閉めるが、この時、風向ルーバーの投影面積内にルーバー支持部を設けているため、風向ルーバーと吹出口との間に空間があったとしても外からルーバー支持部は見えない。
【００４８】
これらの結果により、風向ルーバーの強度向上を図りながらルーバー支持部を小さくできるため、放電生成物発生装置のコンパクト化が図れるだけでなくデザイン性も向上できるものである。
【００４９】
従って、車載用や家庭用・事務所用など、コンパクトで持ち運びでき、どこでも使用できる放電生成物発生装置として活用が期待されるものである。
【符号の説明】
【００５０】
１      本体
２      本体ケース
３      操作スイッチ
４      表示ランプ
５      風向ルーバー
６      空間
７      凹部
８      吹出口
９      吸込口
１０    送風手段
１１    制御手段
１２    高圧発生手段
１３    静電霧化部
１４    オゾンフィルター
１５    フィルター収納部
１６    静電霧化ダクト
１７    静電霧化出口
１８    プレフィルター
１９    ルーバー支持部
１９ａ  ルーバー左支持部
１９ｂ  ルーバー右支持部
２０    第一の水平軸部
２０ａ  第一の左水平軸部
２０ｂ  第一の右水平軸部
２１    第二の水平軸部
２１ａ  第二の左水平軸部
２１ｂ  第二の右水平軸部
２２    第一の垂直軸部
２２ａ  第一の左垂直軸部
２２ｂ  第一の右垂直軸部
２３    第二の垂直軸部
２３ａ  第二の左垂直軸部
２３ｂ  第二の右垂直軸部
２４    止め具
２５    ルーバー支持孔
２５ａ  ルーバー左支持孔
２５ｂ  ルーバー右支持孔
２６    ケース支持孔
２６ａ  ケース左支持孔
２６ｂ  ケース右支持孔
２７    保持リブ
２７ａ  保持左リブ
２７ｂ  保持右リブ
２８    ルーバー頂部
【図１】
0005873967.tif 000002
【図２】
0005873967.tif 000003
【図３】
0005873967.tif 000004
【図４】
0005873967.tif 000005
【図５】
0005873967.tif 000006
【図６】
0005873967.tif 000007
【図７】
0005873967.tif 000008
【図８】
0005873967.tif 000009
【図９】
0005873967.tif 000010
【図１０】
0005873967.tif 000011
【図１１】
0005873967.tif 000012
【図１２】
0005873967.tif 000013